(57)【特許請求の範囲】
【請求項１】
鼻腔内にたまった鼻水を吸引する器具であって、手の操作で収縮させ、その手を離すと復元するポンプと、このポンプの開口に挿通した円筒状の接続筒と、この接続筒の上側開口に嵌合し、下部が前記ポンプと連通するノズル本体とからなり、このノズル本体は上側内径を狭めた状態で延長しており、前記接続筒の一部には外部からの流入を遮蔽する逆止弁を設ける一方、前記ノズル本体の基端部には前記ポンプから前記ノズル本体への流出を遮蔽する逆止弁を設け、前記ノズル本体の先端部は、前記ノズル本体の中心線より傾斜して延長されると共に、当該延長された前記先端部の開口部の開口面は、さらに斜めに傾斜した楕円弧状であり、さらにまた、前記ノズル本体は、前記延長された前記先端部よりも下側を前記基端部の上側の前記接続筒から露出する部分にかけて、鼻孔よりも大きい径となるように徐々に拡径するテーパ状として、前記延長された前記先端部が鼻前庭よりも鼻腔奥側に侵入しないようにした鼻水吸引器具。
【請求項２】
ノズル本体はシリコンゴムで形成した請求項１記載の鼻水吸引器具。
【請求項３】
２つの逆止弁はシリコンゴムをドーム状に形成し、このドーム状部にスリットを形成した請求項１記載の鼻水吸引器具。
【発明の詳細な説明】
【技術分野】
【０００１】
本発明は、鼻水を効果的に吸引するための器具に関するものである。
【背景技術】
【０００２】
従来から風邪や花粉症などに起因して鼻水が生じた場合には、鼻をかんだり紙に吸収させる処方が一般的である。
【０００３】
しかし、鼻をかむ場合にはあまり強くかんだり、頻繁にかんだりすれば鼻粘膜を損傷して鼻炎になったり鼻血が出る原因となるので、注意する必要がある。そこで、従来から鼻水を吸引する器具が提案されている。
【先行技術文献】
【特許文献】
【０００４】
【特許文献１】特開２０１４−２１７７１６号公報
【特許文献２】特開２００１−２１８８３１号公報
【発明の概要】
【発明が解決しようとする課題】
【０００５】
上記従来の発明のうち、特許文献１は長い吸引ノズルの端部に変形容易なゴム製などのポンプを接続し、このボールを予め縮めておいてノズル先端を鼻腔内に差込み、ポンプを膨張させることによって鼻水を吸引する構成である。しかしながら、ノズルが長いのでこれを鼻腔内に挿し込んだ場合にはノズル先端で粘膜を損傷するおそれがある。また、回収した鼻水がノズル内に残留している場合には再度ポンプを縮めれば残留している鼻水がノズル先端から逆流するおそれもあり、効率よく鼻水を吸引することができない。
【０００６】
また、特許文献２は電源を有して鼻水を真空吸引するものである。しかし、真空状態を形成してこれによってノズル先端から鼻水を吸引するので、強い吸引になってしまい、ノズル先端が粘膜に接触した場合には強い吸引力によって粘膜を損傷するおそれがある。
【０００７】
本発明は、これら従来の鼻水吸引器の課題を解決しようとするもので、効率よく鼻水を吸引することができると同時に、鼻腔内を損傷することがなく、さらに回収した鼻水が逆流することがない器具を提供することを目的とするものである。
【課題を解決するための手段】
【０００８】
本発明の鼻水吸引器具では、上記目的を達成するために、手の操作で収縮させ、その手を離すと復元するポンプと、このポンプの開口に挿通した円筒状の接続筒と、この接続筒の上側開口に嵌合し、下部が前記ポンプと連通するノズル本体という基本的な構成を有し、ノズル本体は先端側内径を狭めた状態で延長しており、前記接続筒の一部には外部からの流入を遮蔽する逆止弁を設ける一方、前記ノズル本体の基端部には前記ポンプから前記ノズル本体への流出を遮蔽する逆止弁を設けるという手段を用いた。これらの手段によって、ポンプを押し縮めた状態でノズル先端部を鼻前庭を含む窪み（以下、鼻前庭という。）にたまった鼻水付近に誘導し、ポンプから手を離して復元すれば、この復元に応じて鼻水がノズルに吸引される。２つの逆止弁が設けられているので、ノズル内部に残留した鼻水がポンプの操作によってノズル先端部から鼻腔内に逆流することはない。
【０００９】
また、ノズル本体をシリコンゴムで形成すれば、容易に変形することが可能であり、ノズルの先端部を容易に鼻前庭に誘導することが可能であるとともに、鼻腔内部に損傷を与えることがない。
【００１０】
さらに、ノズル本体の先端部をノズル本体の中心線より傾斜して延長した場合には、器具全体を鼻腔の傾きに沿って挿入するだけでノズル先端を鼻前庭に誘導することが可能となり、操作性が向上する。そして、ノズル本体の先端部の開口部の開口面を前記ノズル本体の中心線に対する前記先端部の傾斜角よりもさらに傾斜した楕円面とする手段も用いた。このようにすると、開口部がノズル本体の中心線に直角に設けられた円形面よりも面積が大きくなり、吸引力を軽減できるので、鼻腔粘膜を損傷することをさらに防止することが可能である。一方、ノズル本体をシリコンゴムで形成し、その先端部をノズル本体の中心線に沿って延長した場合であっても、先端部は容易に変形させることが可能なので、第２指などで角度を傾斜させて器具を挿入すればノズル先端部は鼻前庭に誘導することができる。
【００１１】
ところで、２つの逆止弁をシリコンゴムによってドーム状に形成し、このドーム状部にスリットを形成すると、容易に逆止弁を形成することが可能である。
【発明の効果】
【００１２】
本発明では、上記のような手段を採用したので、手に持った状態でポンプを操作するだけで鼻水を効果的に吸引することができ、しかも鼻腔内部の粘膜などを損傷することがない安全な器具とすることができた。
【図面の簡単な説明】
【００１３】
【図１】本発明の鼻水吸引器を示す斜視図
【図２】同、正面図
【図３】同、側面図
【図４】図２に示した正面図のＡ−Ａ断面図
【図５】図４に示したノズル本体の拡大断面図
【発明を実施するための形態】
【００１４】
以下、本発明の好ましい実施の形態を添付した図面に従って説明する。図１は本発明の好ましい実施形態を示す斜視図であって、１はゴムなどの柔軟な素材からなるポンプ、２は円筒状の接続筒、３はノズル本体、４はノズル先端部であり、ノズル本体３は接続筒２に嵌め込まれた状態で、先端側を先細りにしてノズル先端部４に連続している。５は接続筒２の側面に設けられた逆止弁であり、例えばシリコンゴムなどの柔軟な素材にスリット５ａを形成する、接続筒２の内部からは空気が流出するが、外部からの流入を遮断する方向に設けられている。また、図４の断面図においてノズル本体３の基端６側は接続筒２の内部まで侵入しており、基端部７には逆止弁５と同様の構成の別の逆止弁８が設けられ、同様にスリット８ａが形成されている。この逆止弁８は、ノズル本体３側からポンプ１の内部に空気が流入するが、ポンプ１からノズル本体３側への空気の流出は遮断されている。本実施形態では、それぞれの逆止弁はシリコンゴムによってドーム状に形成し、そのドーム面にスリットを形成しているので、製造は容易である。
【００１５】
ところで、鼻水は鼻腔内から分泌された粘液や血管からの浸出液の混合物の総称であるが、鼻水が生じるといったん鼻前庭にたまり、放置すればその容量を越えた分が鼻孔から流出する。そうであれば、鼻水を吸引する際には鼻前庭にたまった分を回収するのが効果的であり、かつ鼻腔の奥の粘膜を損傷することを避けることができる。本発明の鼻水吸引器では、これに着目して、本実施形態では、図５のノズル本体３の拡大断面図に示すように、ノズル先端部４をノズル基端部６から約３０度傾斜させた。このように構成すると、人が操作する際にはポンプ１を持ちながら鼻前庭にノズル先端部４を接触させることによって、鼻前庭にたまった鼻水を吸引することを容易とする。なお、この傾斜角は正確に３０度に限定するものではなく、好ましくはさらに傾斜角を大きくして約５５度に設定すれば、鼻腔の傾きに沿って器具を挿入するだけで的確に鼻前庭にノズル先端部４を誘導することができる。さらに、ノズル本体３の基端６の上側の接続筒２から露出した部分９は鼻孔よりも大きい径にしており、ノズル本体３を鼻腔に挿入した場合、露出部分９の径が鼻孔の径よりも大きいので、それ以上ノズル本体３が鼻腔内に侵入しないようにし、鼻腔奥側の粘膜を損傷しないように構成している。さらに、ノズル先端部４の開口部１０は当該ノズル先端部４の中心線（ノズル本体３の中心線に対する傾斜角３０度の中心線）に対して直角よりも３０度の傾斜角をより大きくする方向に斜めに楕円面の開口面が出現するようにしている。このように開口部１０の開口面が楕円面となるように形成することによって、吸引力を開口面が円形面の場合よりも小さくすることにより、鼻腔粘膜に対する吸引負荷を軽減している。
【００１６】
ノズル本体３の素材は、操作する者の不注意でノズル先端部４が鼻腔内部に当たった場合でも損傷を与えないために、例えばシリコンゴムなどの柔軟な素材を採用することが好ましい。なお、シリコンゴムなどの柔軟な素材を採用するのであれば、別の実施形態として、ノズル先端部４を図１のように傾斜させるのではなく、接続筒２の中心線に沿って延長することも可能である。この場合には、操作する者が第２指などを軽くノズル先端部４側に沿えるだけで所望の角度に曲げることができ、器具全体の傾きにかかわらずノズル先端部４を鼻前庭に適用することができる。なお、ノズル先端部４のシリコン硬度を他の部分と比べて低くしたり、厚さを薄くすれば、さらに鼻腔粘膜の損傷を回避することができる。
【００１７】
上記の実施形態において、図１に示した器具の使用形態を説明する。まず、ポンプ１を押して縮める操作と、ノズル先端部４を鼻前庭に位置させる操作の何れを先に行うかは適宜自由に選択する事項であるが、ポンプ１を縮める操作を行えば逆止弁５を介してポンプ１内部の空気が流出する。この場合、逆止弁８は閉じたままである。次に、ノズル先端部４を鼻前庭付近に誘導し、ポンプ１を収縮させている状態から手を離すと、逆止弁５が閉じた状態になり、逆止弁８が解放されることによってノズル先端部４から鼻水がノズル本体３内部に流入し、さらに逆止弁８を経由してポンプ１内部に回収される。そして、いったん回収された鼻水は粘度が比較的低いので、仮にノズル本体３内に残留しても器具を立てた状態で放置すれば、逆止弁８のスリットを通じてポンプ１内に滴下する。また、ノズル本体３内に鼻水が残留したままである場合でも、次に同様の操作を繰り返したとしても、ポンプ１を押し縮めても逆止弁８は閉じた状態であり、鼻水が鼻腔内に逆流することはない。
【符号の説明】
【００１８】
１  ポンプ
２  接続筒
３  ノズル本体
４  ノズル先端部
５  逆止弁
６  ノズル基端部
８  逆止弁
【図１】
0006586004.tif 000002
【図２】
0006586004.tif 000003
【図３】
0006586004.tif 000004
【図４】
0006586004.tif 000005
【図５】
0006586004.tif 000006